(57)【要約】      （修正有）【課題】冷却体に含ませた水を冷却対象面の側でのみ蒸発させて、冷却体の冷却効果を長時間にわたって維持できる冷却体を提供する。水を含ませて使用する冷却体であるにも拘らず、水が衣服などの装着対象に対して染み出るのを防止でき、従って、フォーマルな状況で着用するワイシャツなどの衣服にも問題無く装着できる冷却体を提供する。【解決手段】冷却体３は、薄いマット状の吸水体２１と、吸水体２１の片面を覆う透水生地２２と、吸水体２１の他方の面を覆う防水シート２３とを備えている。吸水体２１に含ませた水が、衣服などの装着対象に対して染み出ることを、防水シート２３で阻止する。【選択図】図４
0003172499.tif 000002
【実用新案登録請求の範囲】
【請求項１】
薄いマット状の吸水体（２１）と、吸水体（２１）の片面を覆う透水生地（２２）と、吸水体（２１）の他方の面を覆う防水シート（２３）とを備えていることを特徴とする冷却体。
【請求項２】
吸水体（２１）と防水シート（２３）の間に、形状保持機能を有するプラスチック製の芯材（２４）が配されている請求項１に記載の冷却体。
【請求項３】
防水シート（２３）が、内外に重ねた２枚の防水生地（２６・２７）で構成されており、
内側の防水生地（２６）は、吸水体（２１）に臨む面が撥水面とされており、
外側の防水生地（２７）は、内側の防水生地（２６）と反対側の露出面が撥水面とされている請求項１または２に記載の冷却体。
【請求項４】
吸水体（２１）が、片面にのみ起毛処理が施された布生地で形成されて、吸水体（２１）の起毛面の側に透水生地（２２）が配置されており、
透水生地（２２）が接触冷感生地で形成されている請求項１から３のいずれかに記載の冷却体。
【請求項５】
吸水体（２１）と透水生地（２２）を縫合し、透水生地（２２）と防水シート（２３）を縫合することにより、吸水体（２１）と透水生地（２２）と防水シート（２３）の三者が一体化されている請求項１から４のいずれかに記載の冷却体。
【考案の詳細な説明】
【技術分野】
【０００１】
本考案は、水を含ませて使用する冷却体に関する。冷却体は、例えば衣服や寝具に装着して、人や動物の身体を冷やすために使用する。
【背景技術】
【０００２】
この種の冷却体は、例えば特許文献１に公知である。そこでは、ポリアクリル酸ナトリウム塩を主成分とするポリマーを紡糸した高吸水シート状素材の表裏を、水の流通を妨げないポリエステル織物で覆って、冷却体（クーラーパッド）を構成している。この冷却体は、例えば帽子と頭の間に挟んで使用する。水を含ませた状態の冷却体を帽子と頭の間に挟むと、水が体温で蒸発するときの気化潜熱を利用して、頭の表面を冷却することができる。
【０００３】
また、この種の冷却体を装着したシャツが、特許文献２に公知である。そこでは、後身頃の上縁中央の内面にポケットを縫着し、このポケットに冷却体を出し入れできるようにしている。ポケットは半円状に裁断した２枚のメッシュ生地の円弧縁を縫い合わせて形成してあり、直線状の上縁が冷却体の出入口になっている。冷却体は、吸水性高分子繊維吸収体を、透湿透水性を有する布地でくるんで形成してある。水を含ませた状態の冷却体をポケットに収容すると、水が体温で蒸発するときの気化潜熱を利用して、首周りを冷却することができる。
【先行技術文献】
【特許文献】
【０００４】
【特許文献１】登録実用新案第３１６６７６４号公報（段落番号００１３、００１５）
【特許文献２】特許第３５２５０６９号公報（段落番号００１２〜００１４、００１９）
【考案の概要】
【考案が解決しようとする課題】
【０００５】
特許文献１の冷却体では、高吸水シート状素材の両面が、水の流通を妨げないポリエステル織物で覆われており、冷却体の両面から水が漏れ出す構成になっている。そのため、冷却体に含ませた水が早期に蒸発して失われてしまう。換言すれば、冷却効果が短時間しか持続しない。また、特許文献１の冷却体を衣服の内側に装着すると、冷却体に含ませた水が、身体側だけでなく衣服側にも漏れ出てしまい、衣服に水の染みができてしまう。そのため、特許文献１の冷却体は、フォーマルな状況で着用するワイシャツなどの衣服には装着し難い。
【０００６】
特許文献２のシャツに装着される冷却体は、透湿透水性を有する布地で吸水性高分子繊維吸収体をくるんで形成してあり、その両面から水が漏れ出す構成になっている。そのため、特許文献１の冷却体と同様に、冷却効果の持続時間が短いという問題がある。また、冷却体を収容するポケットはメッシュ生地で形成してあるので、冷却体に含ませた水がメッシュ生地を介してシャツの表面へ染み出てしまう。そのため、特許文献２のシャツは、スポーツシャツに適用することに問題は無くても、フォーマルな状況で着用するワイシャツなどに適用することには体裁上問題がある。
【０００７】
さらに、特許文献２では、冷却体をポケットに収容し難いという問題がある。特許文献２の冷却体には芯になるものが無いので、冷却体をポケット内へ押し込む過程で、ポケットの布地と冷却体との間の摩擦によって冷却体が湾曲してしまう。そのため、冷却体をポケットに対して入れにくく、冷却体の装着に手間が掛かる。特許文献２のシャツのポケットは後身頃の上縁中央に配置されているので、このポケットに対してシャツを着用したまま冷却体を装着するには、首の後ろに手を回して装着作業を行う必要がある。このような姿勢で行う装着作業において、冷却体に芯となるものがなければ、冷却体をポケット内へうまく押し込むことができず、場合によっては衣服を一旦脱ぐことを余儀なくされる。
【０００８】
本考案の目的は、冷却体に含ませた水を冷却対象面の側でのみ蒸発させて、冷却体の冷却効果を長時間にわたって維持できる冷却体を提供することにある。
本考案の目的は、水を含ませて使用する冷却体であるにも拘らず、水が衣服などの装着対象に対して染み出るのを防止でき、従って、フォーマルな状況で着用するワイシャツなどの衣服にも問題無く装着できる冷却体を提供することにある。
本考案の目的は、衣服などに設けた冷却体用のポケットに対して迅速に、しかも的確に装着することができる取扱いの容易な冷却体を提供することにある。
【課題を解決するための手段】
【０００９】
本考案に係る冷却体３は、薄いマット状の吸水体２１と、吸水体２１の片面を覆う透水生地２２と、吸水体２１の他方の面を覆う防水シート２３とを備えていることを特徴とする。
【００１０】
吸水体２１と防水シート２３の間に、形状保持機能を有するプラスチック製の芯材２４を配する。
【００１１】
防水シート２３を、内外に重ねた２枚の防水生地２６・２７で構成する。内側の防水生地２６は、吸水体２１に臨む面が撥水面とされており、外側の防水生地２７は、内側の防水生地２６と反対側の露出面が撥水面とされている。
【００１２】
吸水体２１を、片面にのみ起毛処理が施された布生地で形成し、吸水体２１の起毛面の側に透水生地２２を配置する。透水生地２２を接触冷感生地で形成する。
【００１３】
吸水体２１と透水生地２２を縫合し、透水生地２２と防水シート２３を縫合することにより、吸水体２１と透水生地２２と防水シート２３の三者を一体化する。
【考案の効果】
【００１４】
本考案では、吸水体２１の片面を透水生地２２で覆い、吸水体２１の他方の面を防水シート２３で覆って、冷却体３を構成したので、吸水体２１に含ませた水を透水生地２２の側でのみ蒸発させることができる。従って、吸水体２１の両側で水を蒸発させる場合に比べて、吸水体２１に含ませた水の蒸発速度が小さくなるので、冷却体３の冷却効果を長時間にわたって維持できる。また、透水生地２２の側でのみ水を蒸発させると、吸水体２１に含ませた水を身体の冷却のために効率的に利用できる。
【００１５】
また、本考案に係る冷却体３は、透水生地２２が肌面と正対する状態で衣服の内側に装着することにより、吸水体２１に含ませた水が衣服へ染み出るのを防水シート２３で阻止できる。つまり、本考案に係る冷却体３は、水を含ませて使用するものであるにも拘らず、水が衣服などの装着対象に対して染み出るのを防止でき、従って、フォーマルな状況で着用するワイシャツなどの衣服にも問題無く装着して、肌面を冷却することができる。
【００１６】
本考案に係る冷却体３は、枕などの寝具にも装着することができる。透水生地２２が頭と正対する状態で、冷却体３を枕の上面に装着することにより、吸水体２１に含ませた水が枕の内部へ染み込むのを防水シート２３で阻止できる。このとき、冷却体３が直接頭に触れるようにしてもよく、冷却体３と頭の間にメッシュ生地などを介在させてもよい。
【００１７】
吸水体２１と防水シート２３の間に芯材２４を配すると、冷却体３をポケット７内へ押し込む際に冷却体３が湾曲しようとするのを芯材２４で規制できるので、衣服などのポケット７に対して冷却体３を装着しやすくなる。ポケット７が衣服の台襟の後部や後身頃に配置されている場合に、衣服を着用したまま冷却体３をポケット７に装着しようとすると、首の後ろや背中に手を回した窮屈な姿勢で装着作業を行う必要があるが、このような姿勢で行う装着作業においても、本考案のように冷却体３の湾曲を芯材２４で規制すると、冷却体３をポケット７に対して迅速に、しかも的確に装着することができる。
【００１８】
また、芯材２４が形状保持機能を有していると、装着対象に合わせて冷却体３を湾曲変形させても、冷却体３を装着対象から取り外せば、湾曲方向と逆方向に力を加えて、冷却体３を元の扁平な状態に復帰させ、その後、別の装着対象に装着することができる。つまり、１つの冷却体３を、複数の装着対象の間で使い分けることができる。また、芯材２４がプラスチック製であると、繰り返し使用しても金属のように錆びることがないので、冷却体３の寿命が向上する。
【００１９】
内外に重ねた２枚の防水生地２６・２７で防水シート２３を構成し、内側の防水生地２６における吸水体２１に臨む面を撥水面とすると、吸水体２１に含ませた水が内側の防水生地２６を通過することが無く、従って、水が防水シート２３の外面へ漏れ出ることをより確実に防止できる。また、外側の防水生地２７における露出面を撥水面とすると、冷却体３の全体を水に浸漬するなどして吸水体２１に水を含ませた後、外側の防水生地２７の露出面に付着した水を拭き取るだけで、露出面を乾いた状態にすることができる。従って、衣服などの装着対象に冷却体３を装着したときに、装着対象が水で濡れることを防止できる。
【００２０】
片面にのみ起毛処理を施した布生地で吸水体２１を形成し、吸水体２１の起毛面の側に透水生地２２を配置すると、吸水体２１と透水生地２２の間の起毛面に空気を介在させて、吸水体２１に含ませた水と空気の接触機会を増やして蒸発作用を促進できるので、身体を効果的に冷却できる。透水生地２２を接触冷感生地で形成すると、一般的な透水性の布生地を用いる場合に比べて、身体が透水生地２２に触れるときの冷涼感を向上できる。
【００２１】
吸水体２１と防水シート２３を互いに縫合すると、吸水体２１に含ませた水が縫い目を介して防水シート２３の外面へ漏れ出るおそれがある。これに対して本考案のように、吸水体２１と透水生地２２を縫合し、透水生地２２と防水シート２３を縫合して、吸水体２１と防水シート２３とが直接縫合されるのを避けると、吸水体２１に含ませた水が縫い目を介して防水シート２３の外面へ漏れ出るのを確実に防止できる。
【図面の簡単な説明】
【００２２】
【図１】本考案の実施例１に係る冷却体を装着したワイシャツの正面図である。
【図２】実施例１に係る冷却体をワイシャツから分離した状態で示す正面図である。
【図３】図１におけるＡ−Ａ線断面図である。
【図４】実施例１に係る冷却体の正面図である。
【図５】図４におけるＢ−Ｂ線断面図である。
【図６】本考案の実施例２に係る冷却体を装着したＴシャツの正面図である。
【図７】実施例２に係る冷却体の正面図である。
【考案を実施するための形態】
【００２３】
（実施例１）  図１ないし図５は、本考案をワイシャツ用の冷却体に適用した実施例１を示す。図１および図２に示すようにワイシャツは、シャツ本体１と、シャツ本体１の上端に設けられた襟部２と、襟部２に着脱自在に装着される冷却体３とを備えている。冷却体３は、湾曲可能な左右横長の帯状体として形成されている。襟部２は、シャツ本体１の上端に縫着された台襟５と、台襟５の上端に縫着されて外側へ下向きに折り返された外襟６とで構成される。台襟５の内面には、冷却体３を収容するポケット７が、台襟５の少なくとも後半周面に沿って形成されている。
【００２４】
台襟５の内面の少なくとも後半周面に沿ってポケット７を形成すると、左右に長い帯状の冷却体３を、台襟５の内面に安定した状態で確りと保持して、首周りの広い範囲を長時間にわたって冷却することができる。なお、襟部２の周方向の全長にわたってポケット７を形成する場合には、これに合わせて冷却体３の左右寸法を大きくすることができ、また、２ないし４個に分けてポケット７を構成することができる。
【００２５】
図１および図３に示すようにポケット７は、台襟５と、台襟５の内面に縫着した上下一対の上フラップ１１および下フラップ１２とで構成される。各フラップ１１・１２は、多数の孔を有するメッシュ生地を素材にして左右横長の帯状に形成されており、その上下幅は、台襟５の上下幅の半分よりも大きく設定されている。上フラップ１１は、その上縁が台襟５の上縁に沿うように配置されて、両側端と上縁とが台襟５に縫着されている。下フラップ１２は、その下縁が台襟５の下縁に沿うように配置されて、両側端と下縁とが台襟５に縫着されている。以上のように構成されるポケット７によれば、冷却体３を台襟５と同じ高さ位置に保持した状態で、台襟５と対向する首周りを的確に冷却できる。シャツ本体１の後身頃の上縁中央が冷却体３によって外側に膨れることが無く、フォーマルな状況において体裁を保つことができる。
【００２６】
両フラップ１１・１２は、台襟５の上下中央部において、上フラップ１１がポケット７の内側になる状態で内外に重なっており、両フラップ１１・１２の自由縁の間に、冷却体３を出入れする出入口１３が開口してある。冷却体３をポケット７に収容したとき、出入口１３は冷却体３の上下中央と対峙する高さ位置にある。従って、冷却体３を上下に折り曲げるか、出入口１３を指などで押し広げない限り、冷却体３をポケット７から取り出すことはできず、冷却体３が不用意に脱落することは無い。また、内外に重なる両フラップ１１・１２の自由縁の間を出入口１３とすると、出入口１３に閉じ手段を設けなくても、出入口１３を確実に閉じた状態に保持することができる。さらに、冷却体３と肌面との間にフラップ１１・１２を確実に介在させることができるので、冷却体３が直接肌面に触れて肌面がべたつくなどの不快感を解消できる。
【００２７】
図３に示すように台襟５は、内外一対の内布１６と外布１７とで構成されており、内布１６の内側に両フラップ１１・１２が縫着されている。内布１６と外布１７の下縁の間にはシャツ本体１の上縁が挟まれており、これら三者と下フラップ１２の下縁とが同時に縫着されている。また、内布１６と外布１７の上縁の間には外襟６の一端縁が挟まれており、これら三者と上フラップ１１の上縁とが同時に縫着されている。上フラップ１１および下フラップ１２の両端縁は、例えば上記縫着を行う前に、内布１６に対して縫着することができる。
【００２８】
図４および図５に示すように冷却体３は、薄いマット状の吸水体２１と、吸水体２１の片面を覆う透水生地２２と、吸水体２１の他方の面を覆う防水シート２３と、吸水体２１と防水シート２３の間に配された芯材２４とで構成されている。防水シート２３は、内外に重ねた２枚の防水生地２６・２７で構成されている。
【００２９】
吸水体２１は、紙おむつや生理用品などに使用される吸水性に優れた布生地で構成される。本実施例では、吸水体２１として、帝人ファイバー株式会社の「ベルオアシス（登録商標）」を使用した。「ベルオアシス（登録商標）」は、木綿の約７倍、自重の約８０倍の水を吸収することができ、本実施例に係る吸水体２１は、最大で約８時間にわたって水を保持することができる。吸水体２１に含ませた水と空気の接触機会を増やして蒸発作用を促進するために、吸水体２１の透水生地２２側の面に起毛処理が施されている。なお、吸水体２１は吸水性ポリマーで構成してもよいが、布生地の方がポリマーに比べて吸水時の膨張率が小さく、冷却体３がポケット７内で嵩張らない点で有利である。
【００３０】
透水生地２２としては、接触冷感性に優れる接触冷感生地が好適である。透水生地２２を接触冷感生地で形成すると、一般的な透水性の布生地を用いる場合に比べて、身体が透水生地２２に触れるときの冷涼感を向上できる。透水生地２２の縦横寸法は、吸水体２１の縦横寸法よりも大きく設定されており、透水生地２２の周縁は吸水体２１の側へ折り返してある。
【００３１】
防水シート２３を構成する各防水生地２６・２７は、布生地３０の片面にプラスチック層３１をコーティングして形成されており、プラスチック層３１が水を弾く撥水面になっている。内側の防水生地２６は、プラスチック層３１を吸水体２１へ向けて配置されており、吸水体２１に臨む面が撥水面とされている。外側の防水生地２７は、プラスチック層３１を外側へ向けて配置されており、外側へ露出する面が撥水面になっている。内側の防水生地２６の縦横寸法は、吸水体２１の縦横寸法よりも大きく設定されており、外側の防水生地２７は内側の防水生地２６よりもさらに一回り大きく形成されている。外側の防水生地２７の周縁は吸水体２１の側へ折り返してあり、外側の防水生地２７の折り返した重なり部分の間に内側の防水生地２６の周縁部が挟まれている。
【００３２】
芯材２４は、左右横長の細長い帯状に形成されて、冷却体３の上縁に沿って配置されている。芯材２４は、ポリエチレンなどのプラスチックを素材とするものであり、その厚み寸法は約０．４ｍｍである。本実施例では、芯材２４として、形状保持機能を備えた増見哲株式会社の「フリーシェイプ  ＦＳ−０４４」を使用した。芯材２４の上半部は、外側の防水生地２７の折り返した周縁部と、内側の防水生地２６の周縁部との間に挟まれており、芯材２４の下半部は、吸水体２１の上端部と内側の防水生地２６との間に挟まれている。
【００３３】
左右横長の芯材２４を配すると、冷却体３が芯材２４の長手方向に直交する方向、すなわち上下方向の直線に沿って湾曲しようとするのを芯材２４で規制できるので、冷却体３をポケット７内へ左右方向に押し込む装着作業を容易化できる。ワイシャツを着用したまま冷却体３を装着するには、首の後ろに手を回す必要があるが、このような窮屈な姿勢で行う装着作業であっても、芯材２４で冷却体３の湾曲を規制することにより、冷却体３をポケット７に対して迅速に、しかも的確に装着することができる。また、芯材２４が形状保持機能を有していると、装着対象に合わせて冷却体３を湾曲変形させても、冷却体３を装着対象から取り外せば、湾曲方向と逆方向に力を加えて、冷却体３を元の扁平な状態に復帰させ、その後、別の装着対象に装着することができる。つまり、１つの冷却体３を、複数の装着対象の間で使い分けることができる。
【００３４】
冷却体３を構成する吸水体２１、透水生地２２、防水シート２３および芯材２４は、縫合により一体化する。具体的にはまず、吸水体２１と透水生地２２を、左右方向に延びる一本の縫合線３５に沿って縫合する。次いで、外側の防水生地２７の折り返した重なり部分の間に、内側の防水生地２６および芯材２４を挟み、先に縫合した吸水体２１および透水生地２２に重ねる。このとき、芯材２４および内側の防水生地２６を吸水体２１に対向させる。最後に、透水生地２２と外側の防水生地２７の折り返した重なり部分どうしを、周回状の縫合線３６に沿って互いに縫合する。縫合線３６に沿う縫合では、透水生地２２、芯材２４、および内外の防水生地２６・２７が縫合されるが、吸水体２１は縫合されない。このように、吸水体２１と防水シート２３とが直接縫合されるのを避けると、吸水体２１に含ませた水が縫い目を介して防水シート２３の外面へ漏れ出るのを確実に防止できる。
【００３５】
冷却体３を水に浸漬し、あるいは冷却体３に水をかけると、水が透水生地２２を介して吸水体２１に吸収される。水を含ませた冷却体３は、軽く絞ってから、透水生地２２をフラップ１１・１２の側へ向け、防水シート２３を台襟５の側に向けた状態で、ポケット７に収容する（図３参照）。冷却体３を収容するのはワイシャツの着用前と着用中のどちらであってもよい。台襟５側に防水シート２３を配置することにより、吸水体２１に含まれる水が台襟５へ染み出るのを阻止できる。
【００３６】
水を含む冷却体３が装着されたワイシャツを着用すると、着用者の肌面の熱によって、吸水体２１の透水生地２２側に含まれる水の温度が上昇し蒸発する。このときの吸熱作用によって、着用者の肌面の温度が低下するので、着用者は冷涼感を覚える。吸水体２１に含まれる水が蒸発し続ける限りは、首周りの冷涼感が持続する。吸水体２１の水がほぼ蒸発してしまい、冷涼感が得られなくなった場合には、ポケット７から冷却体３を取り出し、再び水を含ませてからポケット７に再装着すれば、再び冷涼感を得ることができる。なお、夏季以外など冷却体３による冷却効果を必要としないときには、冷却体３を取り外した状態でワイシャツを着用すればよい。
【００３７】
（実施例２）  図６および図７は、本考案をＴシャツ用の冷却体に適用した実施例２を示す。ここでは、Ｔシャツの後身頃４１と、後身頃４１の上部中央の内面に縫着した上下一対のフラップ４３・４４とで、ポケット７が形成されている。各フラップ４３・４４はメッシュ生地を素材にして形成されており、上フラップ４３が後身頃４１の上縁に沿う帯状に形成され、下フラップ４４が上フラップ４３の下縁に沿う半円状に形成されている。両フラップ４３・４４の間に、冷却体３を出入れする出入口４５が開口してある。
【００３８】
冷却体３は略半円状に形成されており、その左右方向の中央に、上下縦長の細長い帯状の芯材２４が配置されている。吸水体２１と透水生地２２とが、Ｘ字状をなす２本の縫合線４８に沿って縫合されており、透水生地２２と防水シート２３と芯材２４とが、冷却体３の周縁に沿う周回状の縫合線４９に沿って縫合されている。上下縦長の芯材２４を配すると、冷却体３が左右方向の直線に沿って湾曲しようとするのを芯材２４で規制できるので、冷却体３をポケット７内へ上下方向に押し込む装着作業を容易化できる。その他の構成は実施例１と同様であるので、対応する部分に同一の符号を付して説明を省略する。
【００３９】
その他、防水シート２３を構成する２枚の防水生地２６・２７は別体である必要はなく、１枚の防水生地を２つ折りにして防水シート２３を構成してもよい。布生地３０の両面にプラスチック層３１をコーティングした１枚の防水生地で防水シート２３を構成してもよい。また、防水シート２３として、プラスチックシートや、プラスチックフィルムが積層された不織布、あるいはアルミニウムがコーティングされたプラスチックフィルムを適用することができる。防水シート２３が芯材２４を兼ねるようにしてもよい。
【００４０】
芯材２４は帯状である必要は無く、格子状などに形成することができる。１個の冷却体３に複数個の芯材２４を配置してもよい。芯材２４は形状保持機能を備えたプラスチックシートである必要はなく、通常のプラスチックシートあるいは芯地で形成することができる。抗菌剤を含むプラスチックシートであってもよい。なお、芯材２４は、吸水体２１と透水生地２２の間に配置してもよいが、その場合は吸水体２１と透水生地２２の間の水分の移動を芯材２４が妨げてしまうため、芯材２４は吸水体２１と防水シート２３の間に配置する方が好ましい。
【００４１】
本考案に係る冷却体３は、ワイシャツとＴシャツ以外に、浴衣などの和服や枕などの寝具、あるいはペット用の衣服などにも装着することができる。冷却体３の形状も、上記各実施例で示したものに限られず、円形、楕円形、四角形、三角形など装着対象に合わせて自由に設定することができる。冷却体３の防水シート２３の外面に粘着テープや面ファスナを設け、これらを介して冷却体３を装着することができる。
【符号の説明】
【００４２】
３  冷却体
２１  吸水体
２２  透水生地
２３  防水シート
２４  芯材
２６  内側の防水生地
２７  外側の防水生地
【図１】
0003172499.tif 000003
【図２】
0003172499.tif 000004
【図３】
0003172499.tif 000005
【図４】
0003172499.tif 000006
【図５】
0003172499.tif 000007
【図６】
0003172499.tif 000008
【図７】
0003172499.tif 000009